(57)【要約】【課題】記録媒体の所望位置に印刷を行うことを可能にする。【解決手段】インクジェットプリンタ１は、給紙機構１１と、給紙機構１１から送り出された用紙Ｐを搬送する搬送装置４０と、搬送装置４０によって搬送された用紙Ｐに印刷するインクジェットヘッド２と、インクジェットヘッド２を搬送方向Ａと直交する方向に移動させるヘッド移動機構５０と、用紙Ｐの一端８を検知するフォトセンサ６２とを含んでいる。ヘッド移動機構５０は、フォトセンサ６２によって用紙Ｐの一端８を検知した検知位置に応じて、インクジェットヘッド２を移動させる。【選択図】図１
2009083350.tif 000002
【特許請求の範囲】
【請求項１】
記録媒体を収納可能な給紙部と、
前記給紙部から送り出された記録媒体を搬送方向に搬送する搬送手段と、
前記搬送方向と直交する方向に沿って配列された複数のインク吐出口からなるインク吐出領域が形成されたインク吐出面を有するインクジェットヘッドと、
記録媒体の前記直交する方向の一端を検知する検知手段と、
前記検知手段によって記録媒体の前記一端を検知した検知位置に応じて、前記インクジェットヘッドを前記直交する方向に移動させる移動手段とを備えていることを特徴とするインクジェット記録装置。
【請求項２】
前記移動手段は、前記検知位置に応じて、前記一端と前記インク吐出領域の前記直交する方向の一端とが前記搬送方向に沿って重なるように、前記インクジェットヘッドを前記直交する方向に移動させることを特徴とする請求項１に記載のインクジェット記録装置。
【請求項３】
前記搬送手段が、
記録媒体を前記インク吐出面と対向する位置に搬送する第１搬送機構と、
前記第１搬送機構と前記給紙部との間に配置された第２搬送機構とを有しており、
前記第２搬送機構が、前記給紙部から送り出された記録媒体を支持する支持台と、前記支持台から前記第１搬送機構に記録媒体を搬送する搬送ローラと、前記支持台上において、記録媒体の前記搬送方向の前端の位置決めを行うことができる位置決め可能状態とその解除状態とを選択的に取り得る位置決め手段とを有していることを特徴とする請求項１又は２に記載のインクジェット記録装置。
【請求項４】
前記位置決め手段が、前記位置決め可能状態において記録媒体の前記前端と当接する、前記直交する方向に長尺な板状部材を有していることを特徴とする請求項３に記載のインクジェット記録装置。
【請求項５】
前記検知手段が、前記移動手段によって前記インクジェットヘッドとともに移動可能に設けられ、記録媒体を検知する検知面を有するセンサを含んでいることを特徴とする請求項１〜４のいずれか１項に記載のインクジェット記録装置。
【請求項６】
前記移動手段は、記録媒体に対する印刷が終了した後、前記給紙部から記録媒体が送り出される前に、前記検知面が記録媒体の前記一端と対向する位置から記録媒体と対向しない位置まで、前記センサを移動させることを特徴とする請求項５に記載のインクジェット記録装置。
【請求項７】
前記センサは、前記検知面が前記インク吐出領域の前記一端と前記搬送方向に沿って重なる位置に配置されていることを特徴とする請求項５又は６に記載のインクジェット記録装置。
【請求項８】
前記給紙部には、前記搬送方向に延在し且つ記録媒体の前記一端と当接するガイド面を有する固定ガイド部材と、前記搬送方向に延在し且つ記録媒体の他端と当接するガイド面を有し、前記固定ガイド部材とで記録媒体を挟むように移動可能な可動ガイド部材とが設けられていることを特徴とする請求項１〜７のいずれか１項に記載のインクジェット記録装置。
【発明の詳細な説明】
【技術分野】
【０００１】
本発明は、記録媒体に画像を印刷するインクジェット記録装置に関する。
【背景技術】
【０００２】
特許文献１には、画像形成部に向けて搬送される記録用紙が、用紙搬送経路上で一旦停止している状態で、用紙幅方向の位置ずれをＣＣＤラインセンサによって検出し、一対のローラによって記録用紙をその表裏側から挟持し、これらローラをずれ量分だけ用紙幅方向にスライド移動させることで、記録用紙の幅方向の位置を適切な位置に修正する画像形成装置について記載されている。
【０００３】
【特許文献１】特開２００５−２２８２０号公報
【発明の開示】
【発明が解決しようとする課題】
【０００４】
しかしながら、上記特許文献１に記載の画像形成装置においては、記録用紙をスライドさせることで記録用紙の幅方向のずれを修正しているため、記録用紙をスライドさせたときに、記録用紙が再度斜めになったり、用紙の端部などが折れ曲がったりして、記録用紙の所望位置に画像を印刷することができない。
【０００５】
そこで、本発明の目的は、記録媒体が斜めに配置されたり、折れ曲がったりする状態を発生させずに、記録媒体の所望位置に印刷を行うことが可能なインクジェット記録装置を提供することである。
【課題を解決するための手段】
【０００６】
本発明のインクジェット記録装置は、記録媒体を収納可能な給紙部と、前記給紙部から送り出された記録媒体を搬送方向に搬送する搬送手段と、前記搬送方向と直交する方向に沿って配列された複数のインク吐出口からなるインク吐出領域が形成されたインク吐出面を有するインクジェットヘッドと、記録媒体の前記直交する方向の一端を検知する検知手段と、前記検知手段によって記録媒体の前記一端を検知した検知位置に応じて、前記インクジェットヘッドを前記直交する方向に移動させる移動手段とを備えている。
【０００７】
これによると、記録媒体に対してインクジェットヘッドで印刷を行うときに、記録媒体が直交する方向にずれて搬送されても、検知手段による記録媒体の一端の検知位置に応じて、インクジェットヘッドが移動されるので、上記特許文献１に記載の技術とは異なり、記録媒体が斜めに配置されたり、折れ曲がったりする状態を発生させずに、記録媒体の所望位置に印刷を行うことができる。
【０００８】
本発明において、前記移動手段は、前記検知位置に応じて、前記一端と前記インク吐出領域の前記直交する方向の一端とが前記搬送方向に沿って重なるように、前記インクジェットヘッドを前記直交する方向に移動させることが好ましい。これにより、検知手段の検知位置に応じて、インク吐出領域の一端と記録媒体の一端とが搬送方向に沿って重なるようにインクジェットヘッドが移動されるので、記録媒体の所望位置に精度良く印刷を行うことができる。
【０００９】
また、本発明において、前記搬送手段が、記録媒体を前記インク吐出面と対向する位置に搬送する第１搬送機構と、前記第１搬送機構と前記給紙部との間に配置された第２搬送機構とを有している。そして、前記第２搬送機構が、前記給紙部から送り出された記録媒体を支持する支持台と、前記支持台から前記第１搬送機構に記録媒体を搬送する搬送ローラと、前記支持台上において、記録媒体の前記搬送方向の前端の位置決めを行うことができる位置決め可能状態とその解除状態とを選択的に取り得る位置決め手段とを有していることが好ましい。これにより、記録媒体の前端の位置決めを行うことができる。
【００１０】
また、このとき、前記位置決め手段が、前記位置決め可能状態において記録媒体の前記前端と当接する、前記直交する方向に長尺な板状部材を有していてもよい。これにより、記録媒体の前端の位置決めと、記録媒体の斜行を修正することが可能になる。
【００１１】
また、本発明において、前記検知手段が、前記移動手段によって前記インクジェットヘッドとともに移動可能に設けられ、記録媒体を検知する検知面を有するセンサを含んでいることが好ましい。これにより、簡易なセンサを用いることができる。
【００１２】
また、このとき、前記移動手段は、記録媒体に対する印刷が終了した後、前記給紙部から記録媒体が送り出される前に、前記検知面が記録媒体の前記一端と対向する位置から記録媒体と対向しない位置まで、前記センサを移動させていてもよい。これにより、給紙部から記録媒体が送り出されたときに、記録媒体の一端を素早く検知することができる。
【００１３】
また、このとき、前記センサは、前記検知面が前記インク吐出領域の前記一端と前記搬送方向に沿って重なる位置に配置されていてもよい。これにより、センサで記録媒体の一端を検知すると同時に、当該記録媒体の一端とインク吐出領域の一端とを搬送方向に沿って重ねることができる。
【００１４】
また、本発明において、前記給紙部には、前記搬送方向に延在し且つ記録媒体の前記一端と当接するガイド面を有する固定ガイド部材と、前記搬送方向に延在し且つ記録媒体の他端と当接するガイド面を有し、前記固定ガイド部材とで記録媒体を挟むように移動可能な可動ガイド部材とが設けられていることが好ましい。これにより、記録媒体のサイズによらず、記録媒体の一端を固定ガイド部材のガイド面に沿わすサイドレジが可能となる。そのため、給紙部から送り出された記録媒体が直交する方向に大きくずれにくくなり、検知手段による検知位置に応じてインクジェットヘッドが移動する距離も短くなる。
【発明を実施するための最良の形態】
【００１５】
以下、本発明の好適な実施の形態について、図面を参照しつつ説明する。
【００１６】
図１は、本発明の一実施形態によるインクジェットプリンタの概略平面図である。図２は、本発明の一実施形態によるインクジェットプリンタの概略側面図である。図３は、図１に示す一点鎖線で囲まれた領域の拡大平面図である。
【００１７】
インクジェットプリンタ（インクジェット記録装置）１は、４つのインクジェットヘッド２を有するカラーインクジェットプリンタである。このインクジェットプリンタ１には、図１中右方に給紙機構１１が、図１中左方に排紙部（図示せず）が設けられている。これら給紙機構１１と排紙部との間には、給紙機構１１から送り出された用紙（記録媒体）Ｐを図１中右方から左方に向かう搬送方向Ａ（副走査方向）に搬送する搬送装置（搬送手段）４０が設けられている。さらに、プリンタ１には、インクジェットヘッド２を図１中上下方向、すなわち、搬送方向Ａと直交する方向（主走査方向）に移動させるヘッド移動機構（移動手段）５０と、４つのインクジェットヘッド２、搬送装置４０及びヘッド移動機構５０などの動作を制御する制御装置７０とが設けられている。なお、副走査方向とは搬送方向Ａと平行な方向であり、主走査方向とは副走査方向に直交する方向であって水平面に沿った方向（図１中、上下方向）である。
【００１８】
給紙機構１１には、図２に示すように、複数の用紙Ｐが上下方向に積層した状態で収納可能な、上方に向かって開口した給紙部１５が構成されている。給紙部１５は、図１において、矩形平面形状を有する底板１２と、底板１２の上端に立設された板状の固定ガイド部材１３と、底板１２に主走査方向に移動可能に立設された板状の可動ガイド部材１４と、底板１２の左端に立設された板状の固定ガイド部材１６と、底板１２に副走査方向に移動可能に立設された板状の可動ガイド部材１７とを有している。
【００１９】
固定ガイド部材１３は、図１において、搬送方向Ａに沿って延在し用紙Pの上端（すなわち、搬送方向に直交する方向の一端８）と当接するガイド面１３ａを有している。可動ガイド部材１４は、搬送方向Ａに沿って延在し用紙Ｐの下端（すなわち、搬送方向に直交する方向の他端９）と当接するガイド面１４ａを有している。この構成において、ユーザが用紙Ｐを固定ガイド部材１３とで挟むように可動ガイド部材１４を移動させることで、用紙サイズによらず、用紙の一端を固定ガイド部材１３のガイド面１３ａに沿わすサイドレジが可能となる。そのため、給紙部１５から送り出された用紙Ｐが主走査方向に大きくずれにくくなって、後述するフォトセンサ６２の検知位置に応じてインクジェットヘッド２が移動する距離も短くなる。
【００２０】
また、固定ガイド部材１６は、主走査方向に延在し用紙Ｐの左端（すなわち、搬送方向Ａの前端７）と当接するガイド面１６ａを有している。なお、固定ガイド部材１６の上端は、図２に示すように、給紙部１５から用紙Ｐを送り出すときに、その搬送を妨げないように他のガイド部材１３，１４，１７よりも低くなっている。可動ガイド部材１７は、図１に示すように、主走査方向に延在し用紙Ｐの右端（すなわち、搬送方向Ａの後端）と当接するガイド面１７ａを有している。この構成において、ユーザが用紙Ｐを固定ガイド部材１６とで挟むように可動ガイド部材１７を移動させることで、用紙サイズによらず、用紙の前端を固定ガイド部材１６のガイド面１６ａに当接させるトップレジが可能となる。
【００２１】
また、給紙機構１１は、給紙部１５に収納された複数の用紙Ｐのうち、最も上方にある用紙Ｐと回転しながら接触することで当該用紙Ｐを搬送装置４０に向かって搬送するピックアップローラ１８を有している。ピックアップローラ１８は、制御装置７０により制御される駆動モータ（図示せず）によって回転する。
【００２２】
搬送装置４０は、図１及び図２に示すように、搬送方向Ａに沿って配置された２つの搬送機構２０，３０を有している。搬送機構（第２搬送機構）２０は、同軸状に連なる複数のローラ２１及びこれらローラ２１と対となる１つの長尺なローラ２２と、平らな支持面２４ａを有する支持台２４と、同軸状に連なる複数のローラ２６及びこれらローラ２６と対となる１つの長尺なローラ２７とを有している。支持台２４には、ローラ２７が配置可能な貫通部２４ｂが形成されている。ローラ２７は、その周面が支持面２４ａと同一又は支持面２４ａよりも上方に若干突出した位置に配置されるように、設けられている。また、ローラ２１，２２，２６，２７は、制御装置７０により制御される駆動モータ（図示せず）によって回転される。
【００２３】
この構成において、給紙部１５から送り出された用紙Ｐは、制御装置７０の制御により回転するローラ２１，２２によって挟持されながら支持台２４上に搬送される。そして、支持台２４上に搬送されてきた用紙Ｐは、支持面２４ａにその全体が搬送されるように、制御装置７０の制御により回転するローラ（搬送ローラ）２６，２７によって挟持されながら搬送される。また、ローラ２６，２７は、支持面２４ａから搬送機構３０に用紙Ｐを搬送する。
【００２４】
搬送機構２０は、支持面２４ａにおいて、用紙Ｐの前端７と当接することで位置決めするストッパ２８と、ストッパ２８の上端が支持面２４ａから上方に突出する位置決め可能状態及びストッパ２８の上端が支持面２４ａから突出しない解除状態を選択的に取り得るように、ストッパ２８を移動させるソレノイド２９とを有している。これらストッパ２８とソレノイド２９とによって、支持面２４ａ上における用紙Ｐの位置決め手段が構成されている。また、ソレノイド２９は、制御装置７０により制御される。
【００２５】
ストッパ２８は、主走査方向に延在した長尺な板状部材であって、支持台２４の搬送方向下流側の側面に配置されている。ストッパ２８の下端部には、ソレノイド２９のシリンダ２９ａの先端に固定された突起が形成されている。この構成により、制御装置７０によってソレノイド２９が駆動され、シリンダ２９ａが図２に示すように下方に向かって伸びると、ストッパ２８が解除状態となり、シリンダ２９ａが縮むとストッパ２８が位置決め可能状態（図４（ａ）参照）となる。
【００２６】
また、ストッパ２８が長尺な板状部材からなることで、用紙Ｐの前端７の位置決めと、用紙Ｐの斜行を修正することができる。この斜行を修正するとは、給紙部１５から送り出されて搬送されてきた用紙Ｐが、その搬送中に傾いて搬送されてきても、主走査方向に対して傾いた前端７がストッパ２８と当接することで主走査方向に平行に修正され、用紙Ｐの一端８及び他端９が搬送方向Ａに平行に修正されることである。
【００２７】
搬送機構（第１搬送機構）３０は、一対のベルトローラ３１，３２と、これらベルトローラ３１，３２に架け渡された搬送ベルト３３と、同軸状に連なる複数のローラ３５及びこれらローラ３５と対となる１つの長尺なローラ３６とを有している。ベルトローラ３２は、制御装置７０により制御される駆動モータ（図示せず）によって、図２中反時計回り方向に回転する。ベルトローラ３１は、従動ローラであって、回転自在に支持されている。搬送ベルト３３のインクジェットヘッド２と対向する表面は、用紙Ｐを搬送する搬送面３３ａである。ベルトローラ３２が回転すると、搬送面３３ａが搬送方向Ａに平行に移動するように、搬送ベルト３３が走行する。また、ローラ３５，３６は、制御装置７０により制御される駆動モータ（図示せず）によって回転される。
【００２８】
この構成において、搬送機構２０、すなわち、ローラ２６，２７によって支持面２４ａから搬送面３３ａ上に搬送されてきた用紙Ｐは、制御装置７０の制御により、搬送ベルト３３の走行によってインクジェットヘッド２と対向する領域を通過し、ローラ３５，３６に搬送される。そして、制御装置７０の制御により回転するローラ３５，３６によって用紙Ｐが挟持されながら排紙部に搬送される。
【００２９】
４つのインクジェットヘッド２は、４色のインク（マゼンタ、イエロー、シアン、ブラック）に対応しており、図１に示すように、平面視において、主走査方向に長尺な矩形形状を有している。また、４つのインクジェットヘッド２は、副走査方向に並べられて枠状フレーム３に固定されており、１つのヘッドユニット４を構成している。
【００３０】
インクジェットヘッド２の搬送ベルト３３と対向する面（すなわち、インク吐出面）２ａには、図３に示すように、複数のノズル（インク吐出口）５が主走査方向に沿って配列された２列のノズル列によって構成されたインク吐出領域６が形成されている。なお、図２に示すように、インク吐出面２ａとフレーム３の下面とが、ほぼ同一平面レベルに形成されている。また、インクジェットヘッド２は、制御装置７０の制御により内部に設けられたアクチュエータ（図示せず）が駆動され、ノズル５からインクを吐出する。
【００３１】
フレーム３の搬送方向Ａの上流側端部には、副走査方向に延在した長尺な棒状部材６１が固定されている。棒状部材６１は、その先端が支持台２４と対向する位置まで延在している。そして、棒状部材６１の先端には、制御装置７０と接続されたフォトセンサ（検知手段）６２が固定されている。フォトセンサ６２の支持面２４ａと対向する面（すなわち、検知面６２ａ）には、発光部及び受光部が設けられており、支持台２４上の用紙Ｐを検知したときに、その検知信号を制御装置７０に送信する。これにより、検知手段として簡易なフォトセンサを用いることができる。また、検知面６２ａは、図３中インク吐出領域６の上端と搬送方向Ａに沿って重なる位置に配置されている。これにより、フォトセンサ６２で用紙Ｐの一端８を検知すると同時に、用紙Ｐの一端８とインク吐出領域６の図３中の上端とを搬送方向Ａに沿って重ねることができる。
【００３２】
ヘッド移動機構５０は、図３に示すように、フレーム３の副走査方向の両端部を主走査方向に貫通して配置された２本のガイドレール５１，５２と、ヘッドユニット４及びフォトセンサ６２をガイドレール５１，５２に沿って移動させる移動機構５５とを有している。
【００３３】
移動機構５５は、主走査方向に離隔して配置された一対のベルトローラ５６，５７と、これらベルトローラ５６，５７に架け渡されたベルト５８とを有している。ベルトローラ５６は、制御装置７０により制御される駆動モータ（図示せず）によって回転し、ベルトローラ５７は従動ローラであって回転自在に支持されている。ベルト５８の略中央には、フレーム３から突出した突出部３ａが固定されている。この構成において、制御装置７０の制御により、ベルトローラ５６が所定方向に回転するとベルト５８が走行しヘッドユニット４及びフォトセンサ６２が図３中下方に移動する。一方、ベルトローラ５６が所定方向とは逆方向に回転すると、ヘッドユニット４及びフォトセンサ６２が図３中上方に移動する。このようにヘッド移動機構５０と制御装置７０とによってヘッドユニット及びフォトセンサ６２を移動させる移動手段が構成されている。
【００３４】
続いて、用紙Ｐに画像を印刷するときの印刷動作について、以下に説明する。図４（ａ）は支持面２４ａにおいて用紙Ｐを位置決めしたときの状態を示す図であり、図４（ｂ）は位置決めされた用紙Ｐの一端８を検知する前の状態を示す図である。
【００３５】
用紙Ｐに印刷するときは、予めユーザによってトップ及びサイドレジが行われた用紙Ｐをピックアップローラ１８によって搬送方向Ａに送り出す。送り出された用紙Ｐは、制御装置７０の制御により、ローラ２１，２２，２６，２７によって支持台２４上に搬送される。このとき、図４（ａ）に示すように、制御装置７０の制御によりソレノイド２９のシリンダ２９ａは縮められており、ストッパ２８の上端が支持面２４ａから突出した位置決め可能状態となっている。このため、搬送されてきた用紙Ｐの前端７とストッパ２８とが当接し、支持面２４ａにおいて、用紙Ｐの位置決めが行われると共に斜行が修正される。
【００３６】
次に、用紙Ｐが位置決めされた状態で、制御装置７０の制御によって移動機構５５のベルトローラ５６を所定方向に回転させてヘッドユニット４を図４（ｂ）中下方に移動させる。このとき、検知面６２ａは、支持面２４ａの上端部と対向する位置であって用紙Ｐとは対向しない位置から用紙Ｐと対向する位置に移動する。そして、フォトセンサ６２によって用紙Ｐの一端８を検知した、その検知位置に応じた、制御装置７０の制御によってヘッド移動機構５０によるヘッドユニット４の移動が停止される（図３参照）。こうして、用紙Ｐの一端８とインク吐出領域６の上端とを搬送方向Ａに沿って重ねることができる。
【００３７】
本実施形態においては、検知面６２ａとインク吐出領域６の上端（一端）とが搬送方向Ａに重なっているため、制御装置７０の制御により、フォトセンサ６２で用紙Ｐの一端８を検知すると同時にヘッドユニット４の移動を停止しているが、例えば、検知面がインク吐出領域６の上端からインク吐出領域６の主走査方向の中央よりにずれて配置されていた場合は、制御装置の制御により、フォトセンサで用紙Ｐの一端８を検知した後、そのずれ量分だけヘッドユニット４を移動させればよい。さらに、検知面が搬送方向Ａに沿ってインク吐出領域６と重ならず、図３において、インク吐出領域６の上端から上方に離れた位置にずれて配置されていた場合は、制御装置の制御により、フォトセンサで用紙Ｐの一端８を検知したときに、ヘッド移動機構５０によるヘッドユニット４の移動を停止した後、その移動方向とは逆方向に、再度、ヘッドユニット４をそのずれ量分だけ移動させればよい。これらの場合でも、用紙Ｐの一端８とインク吐出領域６の上端とを搬送方向Ａに沿って重ねることができる。
【００３８】
次に、制御装置７０の制御により、ソレノイド２９のシリンダ２９ａが伸ばされ、ストッパ２８の上端が支持面２４ａから突出しない解除状態とされた後、ローラ２６，２７によって搬送ベルト３３上に用紙Ｐが搬送される。そして、搬送ベルト３３の走行によって用紙Ｐが、インクジェットヘッド２と対向する領域を通過するときに、制御装置７０の制御により、搬送方向Ａの上流側にあるインクジェットヘッド２のノズル５から順にインクが吐出されて、用紙Ｐの所望位置に画像が印刷される。印刷された用紙Ｐは、搬送ベルト３３の走行によってローラ３５，３６側に搬送され、ローラ３５，３６によって排紙部に排出される。なお、支持台２４から搬送される用紙Ｐの前端７は、ストッパ２８によって位置決めされているため、前端７からノズル５までの距離が一定となっている。そのため、用紙Ｐがローラ２６，２７及び搬送ベルト３３によって搬送されてインク吐出面２ａと対向するタイミングもほぼ一定となるので、搬送方向Ａに関して、用紙Ｐの所望位置に印刷を施すことができる。
【００３９】
こうして１枚の用紙Ｐに対する印刷が終了した後、新たな用紙Ｐが給紙部１５から支持台２４上に用紙Ｐが送り出される前に、制御装置７０の制御によって移動機構５５のベルトローラ５６を所定方向とは逆方向に回転させて、ヘッドユニット４及びフォトセンサ６２を元の位置（すなわち、検知面６２ａが支持面２４ａの上端部と対向する位置であって用紙Ｐとは対向しない位置）に移動させる。これにより、連続印刷するときに、給紙部１５から送り出された用紙Ｐの一端８を素早く検知することが可能になる。
【００４０】
以上のように、本実施形態のインクジェットプリンタ１によると、用紙Ｐに対してインクジェットヘッド２で印刷を行うときに、用紙Ｐが搬送方向Ａと直交する方向にずれて搬送されていても、フォトセンサ６２による検知位置に応じて、インクジェットヘッド２を移動させているので、インク吐出領域と用紙とを位置合わせをするために用紙をスライド移動させる上記特許文献１に記載の技術とは異なり、用紙Ｐが斜めに配置されたり、折れ曲がったりする状態を発生させずに、用紙Ｐの所望位置に印刷を行うことができる。
【００４１】
また、フォトセンサ６２の検知位置に応じて、インク吐出領域６の上端と用紙Ｐの一端８とが搬送方向Ａに沿って重なるように、インクジェットヘッド２が移動されるので、用紙Ｐの所望位置に精度良く印刷を行うことができる。
【００４２】
以上、本発明の好適な実施の形態について説明したが、本発明は上述の実施の形態に限られるものではなく、特許請求の範囲に記載した限りにおいて様々な変更が可能なものである。例えば、上述した実施形態においては、検知手段であるフォトセンサ６２がインクジェットヘッド２と移動可能にフレーム３に固定されているが、インクジェットヘッド２とは別に独立して移動可能なフォトセンサを設けていてもよいし、フォトセンサの替わりに支持台２４に主走査方向に沿って延在するラインセンサを設けていてもよい。これらの場合は、フォトセンサやラインセンサの検知位置に応じて、インク吐出領域が用紙Ｐの所望位置と対向するように、インクジェットヘッド２を主走査方向に移動すればよい。
【００４３】
また、検知手段による検知位置に応じて、インクジェットヘッド２の移動は、インク吐出領域６の上端と用紙Ｐの一端８とが搬送方向Ａに沿って必ずしも重ならなくてもよい。つまり、インク吐出領域６の上端が用紙Ｐの所定位置と対向可能な位置に配置されるように、インクジェットヘッド２が移動されていてもよい。
【００４４】
また、搬送装置は、用紙Ｐを搬送方向Ａに沿って搬送することが可能な構成であればよい。例えば、搬送機構３０だけから構成されていてもよい。この場合は、搬送機構３０で用紙Ｐを搬送しているときに、又は用紙Ｐの搬送を一時的に停止したときに、検知手段で用紙Ｐの一端８を検知すればよい。そして、その検知位置に応じて、インクジェットヘッド２を移動すればよい。また、給紙部から送り出された用紙Ｐを吸着保持可能なプラテンを搬送方向Ａに移動可能な構成を有する搬送装置であってもよい。この場合でも、用紙Ｐを吸着保持したとき、又は用紙Ｐを搬送しているときに、検知手段で用紙Ｐの一端８を検知すればよい。そして、その検知位置に応じて、インクジェットヘッド２を移動すればよい。また、ストッパは、用紙Ｐの前端７の位置決めが可能であればどのような形態であってもよく、例えば、対向する一対のローラで構成されていてもよい。この場合、用紙Ｐの一端８を検知させるように、ヘッドユニット４、棒状部材６１及びフォトセンサ６２を移動させる前であって支持面２４ａにおいて用紙Ｐの位置決めが終了した後に、支持面２４ａよりも上方に位置する一方のローラを棒状部材６１及びフォトセンサ６２と緩衝しない退避位置まで移動させることが好ましい。また、ストッパ２８やソレノイド２９が設けられていなくてもよい。また、給紙部１５から用紙Ｐが送り出されてから、ヘッドユニット４及びフォトセンサ６２を上述の元の位置に移動させてもよい。また、給紙部１５にサイドレジが可能な可動ガイド部材１４を設けなくてもよい。
【図面の簡単な説明】
【００４５】
【図１】本発明の一実施形態によるインクジェットプリンタの概略平面図である。
【図２】本発明の一実施形態によるインクジェットプリンタの概略側面図である。
【図３】図１に示す一点鎖線で囲まれた領域の拡大平面図である。
【図４】（ａ）は支持面において用紙を位置決めしたときの状態を示す図であり、（ｂ）は位置決めされた用紙の一端を検知する前の状態を示す図である。
【符号の説明】
【００４６】
１  インクジェットプリンタ（インクジェット記録装置）
２  インクジェットヘッド
２ａ  インク吐出面
５  ノズル（インク吐出口）
６  インク吐出領域
７  前端
８  一端
１３  固定ガイド部材
１３ａ  ガイド面
１４  可動ガイド部材
１４ａ  ガイド面
１５  給紙部
２０  搬送機構（第２搬送機構）
２４  支持台
２６，２７  ローラ（搬送ローラ）
２８  ストッパ（板状部材）
３０  搬送機構（第１搬送機構）
４０  搬送装置（搬送手段）
５０  ヘッド移動機構（移動手段）
６２  フォトセンサ（検知手段）
６２ａ  検知面
【図１】
2009083350.tif 000003
【図２】
2009083350.tif 000004
【図３】
2009083350.tif 000005
【図４】
2009083350.tif 000006